(57)【特許請求の範囲】
【請求項１】
水平方向に動作して出入口を開閉する引き戸と、長手が水平方向に配置されて上記出入口の上縁部に設けられて戸袋側の端末が全開位置における上記引き戸の戸幅の中間位置に配置された上部案内部材と、長手が水平方向に配置されて上記出入口の下縁部に設けられて戸袋側の端末が全開位置における上記引き戸の戸幅の中間位置に配置された下部案内部材と、上記引き戸の上縁部に設けられ長手が上記引き戸の幅寸法に対応した長さに形成されると共に、上記上部案内部材の長手に沿う方向に摺動可能に構成されて上記上部案内部材に係合され、上記引き戸が全開位置に移動したときに上記上部案内部材の戸袋側の端末から突出した位置に配置される上部案内体と、上記引き戸の下縁部に設けられ長手が上記引き戸の幅寸法に対応した長さに形成されると共に、上記下部案内部材に移動可能に係合され、上記引き戸が全開位置に移動したときに上記下部案内部材の戸袋側の端末から突出した位置に配置される下部案内体とを備えたエレベーターのドアー装置。
【請求項２】
上部案内体を、上部案内部材の上縁部及び下縁部にそれぞれ対向して配置された二片の案内子により構成して引き戸の上縁部材に締結し、横断面における一側面に開口部が形成されて、この側面から引退して奥側に開口部幅よりも広い拡幅部が形成されて上記上部案内部材に係合する構造に構成したことを特徴とする請求項１記載のエレベーターのドアー装置。
【請求項３】
上部案内体を、無給油タイプの含油性材料によって製作されたものとしたことを特徴とする請求項１及び請求項２のいずれか一つに記載のエレベーターのドアー装置。
【発明の詳細な説明】
【０００１】
【発明の属する技術分野】
この発明は、出入口を引き戸により開閉するエレベーターのドアー装置に関する。
【０００２】
【従来の技術】
図７〜図１２は、例えば実開昭５９−１２８８７８号公報に示された従来のエレベーターのドアー装置を説明する図で、図７はエレベーター装置の横断平面図、図８は図７に示された乗場ドアー装置の背面図、図９は図７のかごドアー装置において引き戸が全開した状態を示す正面図、図１０は図９の引き戸の吊り手箇所の拡大斜視図、図１１は図７のドアー装置における不具合状況を説明する図９相当図、図１２は図７のドアー装置における他の不具合状況を説明する図９相当図である。
【０００３】
図において、１は昇降路、２は昇降路１に互いに離れて設けられた乗場、３は乗場を形成する乗場出入口、４は乗場出入口３を開閉する乗場ドアー装置で、ハンガーケース５、ハンガーケース５に設けられたレールからなる上部案内部材６、敷居からなる下部案内部材７、上部案内部材６と下部案内部材７を連結する柱８、二枚戸片開き形式の引き戸９、引き戸９の上縁部に締結されて上部案内部材６を転動するローラを有する吊り手１０及び引き戸９の下縁部に装着されて下部案内部材７に移動可能に係合した戸の脚１１によって構成されている。
【０００４】
１２はつり合おもりで、乗場ドアー装置４の戸袋側の昇降路１壁に沿って配置され、昇降路１に立設されたつり合おもり用レール１３に案内されて昇降する。１４はかごで、乗場出入口３に対応するかご出入口１５が設けられ、昇降路１に立設されたかご用レール１６に案内されて昇降する。
【０００５】
１７はかご出入口１５を開閉するかごドアー装置で、かご出入口１５上縁部に水平に設けられたレールからなる上部案内部材１８、かごの敷居からなる下部案内部材１９、二枚戸片開き形式の引き戸２０、引き戸２０の上縁部に締結されて上部案内部材１８を転動するローラを有する吊り手２１及び引き戸２０の下縁部に装着されて下部案内部材１９に移動可能に係合した戸の脚２２によって構成されて、戸袋側が乗場ドアー装置４とこれに対向したつり合おもり用レール１３との間に配置されている。
【０００６】
従来のエレベーターのドアー装置は上記のように構成され、かご１４が適宜な乗場２に対向すると、かご１４の引き戸２０と乗場２の引き戸９が係合される。そして、かご１４の引き戸２０が付勢されることによって、かご１４の引き戸２０と乗場２の引き戸９が一緒に開閉動作するようになっている。また、かご１４の引き戸２０が全開位置に配置された状態で、図９に示すように全ての吊り手２１のローラ及び戸の脚２２について、対応した上部案内部材１８又は下部案内部材１９との係合が保持されるようになっている。
【０００７】
【発明が解決しようとする課題】
上記のような従来のエレベーターのドアー装置において、昇降路１が狭隘であること等の理由によって、かごドアー装置１７の上部案内部材１８、下部案内部材１９の戸袋側縁部が、配置上で水平投影面においてつり合おもり用レール１３のブラケット等の固定物と重合することがある。このような状態である場合には、かご１４を昇降させることができず、エレベーターが設置不能になる。また、乗場ドアー装置４の戸袋側の柱８が昇降路１隅部の突出物に当たることがあって、エレベーターが設置不能になるという問題点があった。
【０００８】
なお、昇降路１側の固定物を避けて上部案内部材１８、下部案内部材１９等を設けるため、これらの案内部材の戸袋側の端末をかご１４の引き戸２０等の全開位置における引き戸幅の中間位置に配置するように構成することが考えられる。しかし、図１１に示す状態では吊り手２１の戸袋側ローラと、戸袋側の戸の脚２２が案内部材から逸脱する不具合がある。また、図１２に示す状態では案内部材に係合した吊り手２１のローラ、戸の脚２２の相互間隔が狭くなる。このため、かご１４の引き戸２０の開閉動作が不安定になる。
【０００９】
この発明は、かかる問題点を解消するためになされたものであり、狭隘な昇降路に容易に設置できて、引き戸の開閉動作を正常に案内することができるエレベーターのドアー装置を得ることを目的とする。
【００１０】
【課題を解決するための手段】
この発明に係るエレベーターのドアー装置においては、水平方向に動作して出入口を開閉する引き戸と、長手が水平方向に配置されて上記出入口の上縁部に設けられて戸袋側の端末が全開位置における上記引き戸の戸幅の中間位置に配置された上部案内部材と、長手が水平方向に配置されて上記出入口の下縁部に設けられて戸袋側の端末が全開位置における上記引き戸の戸幅の中間位置に配置された下部案内部材と、上記引き戸の上縁部に設けられ長手が上記引き戸の幅寸法に対応した長さに形成されると共に、上記上部案内部材の長手に沿う方向に摺動可能に構成されて上記上部案内部材に係合され、上記引き戸が全開位置に移動したときに上記上部案内部材の戸袋側の端末から突出した位置に配置される上部案内体と、上記引き戸の下縁部に設けられ長手が上記引き戸の幅寸法に対応した長さに形成されると共に、上記下部案内部材に移動可能に係合され、上記引き戸が全開位置に移動したときに上記下部案内部材の戸袋側の端末から突出した位置に配置される下部案内体とが設けられる。
【００１１】
また、この発明に係るエレベーターのドアー装置においては、上部案内体が、上部案内部材の上縁部及び下縁部にそれぞれ対向して配置された二片の案内子により構成されて引き戸の上縁部材に締結され、横断面における一側面に開口部が形成されて、この側面から引退して奥側に開口部幅よりも広い拡幅部が形成されて上部案内部材に係合する構造に構成される。
【００１２】
また、この発明に係るエレベーターのドアー装置においては、上部案内体が無給油タイプの含油性材料によって製作される。
【００１３】
【発明の実施の形態】
実施の形態１．
図１〜図５は、この発明の実施の形態の一例を示す図で、図１はエレベーター装置の横断平面図、図２は図１のＡ−Ａ線断面図、図３は図１のかごドアー装置において引き戸が全開した状態を示す正面図、図４は図３のＢ−Ｂ線断面拡大図、図５は図３の引き戸の吊り手箇所の拡大斜視図である。図において、１は昇降路、２は昇降路１に互いに離れて設けられた乗場、３は乗場を形成する乗場出入口である。
【００１４】
４は乗場出入口３を開閉する乗場ドアー装置で、乗場出入口３の上縁部に設けられたレールからなる上部案内部材２３、乗場出入口３の下縁部に設けられた敷居からなる下部案内部材２４、二枚戸片開き形式の引き戸９、詳細は後述するが引き戸９の上縁部に吊り手１０を介して装着されて上部案内部材２３に摺動可能に構成されて係合された上部案内体２５及び詳細は後述するが引き戸９の下縁部に装着されて下部案内部材２４に移動可能に係合した戸の脚からなる下部案内体２６によって構成されている。
【００１５】
なお、上部案内部材２３及び下部案内部材２４の戸袋側の端末は、全開位置における引き戸９の戸幅の中間位置に配置される。また、上部案内体２５は、無給油タイプの含油性合成樹脂等によって製作され、横断面における一側面に開口部２５１が設けられて、この側面から引退して奥側に開口部２５１幅よりも広い拡幅部２５２が形成され、上部案内部材２３の長手に沿う方向に摺動可能に構成されて拡幅部２５２により上部案内部材２３に係合され、長手が引き戸９の幅寸法に対応した長さに形成されている。
【００１６】
また、下部案内体２６は、下部案内部材２４の案内溝に移動可能に嵌合されて係合され、長手が引き戸９の幅寸法に対応した長さに形成されている。
１２はつり合おもりで、乗場ドアー装置４の戸袋側の昇降路１壁に沿って配置され、昇降路１に立設されて後述するブラケットにより支持されたつり合おもり用レール１３に案内されて昇降する。
【００１７】
２７はブラケットで、乗場出入口３が設けられた昇降路１の壁及びこの壁に対面した昇降路１の壁からそれぞれ突設されて昇降路１の高さ方向に互いに離れ、かつ乗場出入口３から上下方向に離れて配置されて、つり合おもり用レール１３を支持する。１４はかごで、乗場出入口３に対応するかご出入口１５が設けられ、昇降路１に立設されたかご用レール１６に案内されて昇降する。
【００１８】
１７はかご出入口１５を開閉するかごドアー装置で、かご出入口１５上縁部に水平に設けられたレールからなる前述と同様な上部案内部材２３、かごの敷居からなる前述と同様な下部案内部材２４、二枚戸片開き形式の引き戸２０、引き戸２０の上縁部に設けられた吊り手２１を介して装着されて対応した上部案内部材２３に係合した前述と同様な上部案内体２５及び引き戸２０の下縁部に装着されて下部案内部材２４に係合した前述と同様な下部案内体２６によって構成されて、戸袋側が乗場ドアー装置４とこれに対向したつり合おもり用レール１３の間に配置されている。
【００１９】
上記のように構成されたエレベーターのドアー装置において、かご１４が適宜な乗場２に対向するとかご１４の引き戸２０と乗場２の引き戸９が係合される。そして、かご１４の引き戸２０が付勢されることによって、かご１４の引き戸２０と乗場２の引き戸９が一緒に開閉動作するようになっている。また、乗場２の引き戸９及びかご１４の引き戸２０が全開位置に配置された状態で、上部案内部材２３及び下部案内部材２４の戸袋側端末は、引き戸９，２０の全開位置における戸袋側縁部よりも引退した位置に配置される。
【００２０】
したがって、引き戸９，２０の全開時に水平投影面において、つり合おもり用レール１３のブラケット２７と引き戸９，２０の戸袋側縁部が重合する状態であっても、戸閉時にはブラケット２７と上部案内部材２３及び下部案内部材２４の戸袋側端末との間に空隙が形成される。このため、狭い間口の昇降路１にかご１４及びつり合おもり１２を図１に示すように配置しても、引き戸２０が戸閉したかご１４を正常に昇降させることができる。
【００２１】
また、前述の図８における乗場ドアー装置４の戸袋側の柱８がなく、乗場ドアー装置４の戸袋側における突出物が全開した乗場２の引き戸９の戸袋側縁部である。このため、少なくとも戸袋側の柱８の相当寸法について、昇降路１隅部の突出物があっても容易に乗場ドアー装置４を設置することができる。したがって、狭隘な昇降路１に容易に設置できるエレベーターのドアー装置を得ることができる。
【００２２】
また、引き戸９，２０の全開時には上部案内部材２３及び下部案内部材２４の戸袋側端末から上部案内体２５及び下部案内体２６が突出して配置される。しかし、引き戸９，２０の開閉行程の大部分において上部案内体２５及び下部案内体２６の長手の全体が、上部案内部材２３及び下部案内部材２４にそれぞれ案内される。このため、引き戸９，２０の開閉動作を安定よく、また静粛に正常状態で案内することができる。
【００２３】
また、上部案内部材２３及び下部案内部材２４の戸袋側の端末が、全開位置における引き戸９，２０の戸幅の中間位置に配置されるので、上部案内部材２３及び下部案内部材２４の全長が短くなる。また、前述の図８における乗場ドアー装置４の戸袋側の柱８が省略されることによりエレベーターのドアー装置の製作費を低減することができる。また、上部案内体２５が無給油タイプの含油合成樹脂等によって製作されて上部案内部材２３に面接触して摺動するので、引き戸９，２０の開閉移動を円滑化、静粛化することができる。
【００２４】
実施の形態２．
図６は、この発明の他の実施の形態の一例を示す図で、前述の図４相当図である。図において、図１〜図５と同符号は相当部分を示し、２５は上部案内体で、無給油タイプの含油性合成樹脂等によって製作されて上部案内部材２３の上縁部及び下縁部にそれぞれ対向して二片の案内子２８が配置されて、横断面における一側面に開口部２５１が設けられて、この側面から引退して奥側に開口部２５１幅よりも広い拡幅部２５２が形成される。
【００２５】
そして、吊り手１０，２１の延長部分に案内子２８がそれぞれボルト２９によって締結され、二片の案内子２８からなる上部案内体２５は上部案内部材２３の長手に沿う方向に摺動可能に構成されて拡幅部２５２により上部案内部材２３に係合され、長手が引き戸９の幅寸法に対応した長さに形成されている。
【００２６】
上記のような構成による上部案内体２５が設けられたエレベーターのドアー装置においても、乗場２の引き戸９及びかご１４の引き戸２０が全開位置に配置された状態で、上部案内部材２３及び下部案内部材２４の戸袋側端末は、引き戸９，２０の全開位置における戸袋側縁部よりも引退した位置に配置される。
【００２７】
また、引き戸９，２０の全開時には上部案内部材２３及び下部案内部材２４の戸袋側端末から上部案内体２５及び下部案内体２６が突出して配置されるものの、引き戸９，２０の開閉行程の大部分において上部案内体２５及び下部案内体２６の長手の全体が、上部案内部材２３及び下部案内部材２４にそれぞれ案内される。したがって、詳細な説明を省略するが図６の実施の形態においても、図１〜図５の実施の形態と同様な作用が得られる。
【００２８】
また、図６の実施の形態において、上部案内体２５が吊り手１０，２１の延長部分にボルト２９によって締結された二片の案内子２８によって構成されている。このため、エレベーターの保守作業時に案内子２８の締結を解除することにより、容易に引き戸９，２０を取り外すことができ、また損耗時に案内子２８をボルト２９を介して容易に交換することができる。したがって、保守作業を能率化することができる。
【００２９】
なお、図１〜図５の実施の形態及び図６の実施の形態において、上部案内部材２３を無給油タイプの含油合成樹脂等によって製作し、また上部案内体２５を鋼材等の金属材料によって製作する。このように構成されたエレベーターのドアー装置であっても、図１〜図５の実施の形態又は図６の実施の形態と同様な作用を得ることができる。
【００３０】
【発明の効果】
この発明は以上説明したように、水平方向に動作して出入口を開閉する引き戸と、長手が水平方向に配置されて上記出入口の上縁部に設けられて戸袋側の端末が全開位置における上記引き戸の戸幅の中間位置に配置された上部案内部材と、長手が水平方向に配置されて上記出入口の下縁部に設けられて戸袋側の端末が全開位置における上記引き戸の戸幅の中間位置に配置された下部案内部材と、上記引き戸の上縁部に設けられ長手が上記引き戸の幅寸法に対応した長さに形成されると共に、上記上部案内部材の長手に沿う方向に摺動可能に構成されて上記上部案内部材に係合され、上記引き戸が全開位置に移動したときに上記上部案内部材の戸袋側の端末から突出した位置に配置される上部案内体と、上記引き戸の下縁部に設けられ長手が上記引き戸の幅寸法に対応した長さに形成されると共に、上記下部案内部材に移動可能に係合され、上記引き戸が全開位置に移動したときに上記下部案内部材の戸袋側の端末から突出した位置に配置される下部案内体とを設けたものである。
【００３１】
これによって、引き戸が全開位置に配置された状態で、上部案内部材及び下部案内部材の戸袋側端末は、引き戸全開位置における戸袋側縁部よりも引退した位置に配置される。したがって、引き戸の全開時に水平投影面において、つり合おもり用レールのブラケット等の昇降路の固定物と引き戸の戸袋側縁部が重合する状態であっても、戸閉時には昇降路の固定物と上部案内部材及び下部案内部材の戸袋側端末との間に空隙が形成される。このため、狭い間口の昇降路にかご及びつり合おもりを配置しても、引き戸が戸閉したかごを正常に昇降させることができる。
【００３２】
また、乗場ドアー装置の戸袋側に柱がなく、乗場ドアー装置の戸袋側の突出物が全開した乗場の引き戸の戸袋側縁部であるので、少なくとも戸袋側の柱の相当寸法について、昇降路隅部の突出物があっても容易に乗場ドアー装置を設置することができる。したがって、狭隘な昇降路に対するエレベーターのドアー装置の設置を容易化する効果がある。
【００３３】
また、引き戸の全開時には上部案内部材及び下部案内部材の戸袋側端末から上部案内体及び下部案内体が突出して配置される。しかし、引き戸の開閉行程の大部分において案内部の長手の全体が、上部案内部材及び下部案内部材にそれぞれ案内される。したがって、引き戸の開閉動作を安定よく、また静粛に正常状態で案内する効果がある。
【００３４】
また、この発明は以上説明したように、上部案内体を、上部案内部材の上縁部及び下縁部にそれぞれ対向して配置された二片の案内子によって構成して引き戸の上縁部材に締結し、横断面における一側面に開口部が形成されて、この側面から引退して奥側に開口部幅よりも広い拡幅部が形成されて上部案内部材に係合した構造に構成したものである。
【００３５】
そして、上部案内体が二片の案内子によって構成されて引き戸の上縁部材に締結されている。このため、エレベーターの保守作業時に案内子の締結を解除することにより、容易に引き戸を取り外すことができ、また損耗時に締結を解除することにより案内子を容易に交換することができる。したがって、保守作業を能率化する効果がある。
【００３６】
また、この発明は以上説明したように、上部案内体を無給油タイプの含油性材料によって製作したものである。
【００３７】
そして、上部案内体が無給油タイプの含油合成樹脂等によって製作されて上部案内部材に面接触して摺動する。このため、引き戸の開閉移動を円滑化、静粛化する効果がある。
【図面の簡単な説明】
【図１】  この発明の実施の形態１を示す図で、エレベーター装置の横断平面図。
【図２】  図１のＡ−Ａ線断面図。
【図３】  図１のかごドアー装置において引き戸が全開した状態を示す正面図。
【図４】  図３のＢ−Ｂ線断面拡大図。
【図５】  図３の引き戸の吊り手箇所の拡大斜視図。
【図６】  この発明の実施の形態２を示す図で、前述の図４相当図。
【図７】  従来のエレベーターのドアー装置を説明する図で、エレベーター装置の横断平面図。
【図８】  図７の乗場ドアー装置の背面図。
【図９】  図７のかごドアー装置において引き戸が全開した状態を示す正面図。
【図１０】  図９の引き戸の吊り手箇所の拡大斜視図。
【図１１】  図７のドアー装置における不具合状況を説明する図９相当図。
【図１２】  図７のドアー装置における他の不具合状況を説明する図９相当図。
【符号の説明】
３  出入口、９  引き戸、１５  出入口、２０  引き戸、２３  上部案内部材、２４  下部案内部材、２５  上部案内体、２５１  開口部、２５２  拡幅部、２６  下部案内体、２８  案内子。
【図１】
0003925972.tif 000002
【図２】
0003925972.tif 000003
【図３】
0003925972.tif 000004
【図４】
0003925972.tif 000005
【図５】
0003925972.tif 000006
【図６】
0003925972.tif 000007
【図７】
0003925972.tif 000008
【図８】
0003925972.tif 000009
【図９】
0003925972.tif 000010
【図１０】
0003925972.tif 000011
【図１１】
0003925972.tif 000012
【図１２】
0003925972.tif 000013